(57)【要約】      （修正有）【課題】記録媒体の色に対して訴求力のある色を提供可能な画像形成装置、画像処理装置及びプログラムを提供する。【解決手段】電子文書を画像データとして受け付け、受け付けられた画像データを出力すべき記録媒体の色を受け付け、受け付けられた記録媒体の色に基づいて、イエロー、シアン及びマゼンタからなる一次色及びレッド、グリーン及びブルーからなる二次色から、出力すべき画像データの単一色となる色を算出し、算出された色を複数表示し、表示された色のいずれかを受け付け、受け付けられた画像データを算出された色に変換する。【選択図】図６
2012039493.tif 000002
【特許請求の範囲】
【請求項１】
電子文書を画像データとして受け付ける画像受付手段と、
前記画像受付手段により受け付けられた画像データを出力すべき記録媒体の色を受け付ける記録媒体色受付手段と、
前記記録媒体色受付手段により受け付けられた記録媒体の色に基づいて、出力すべき画像データの単一色となる色を算出する算出手段と
を有する画像処理装置。
【請求項２】
前記画像受付手段により受け付けられた画像データを、前記算出手段により算出された色に変換する色変換手段
をさらに有する請求項１に記載の画像処理装置。
【請求項３】
前記算出手段により算出された色を複数表示する表示手段と、
前記表示手段によって表示された色のいずれかを受け付ける選択受付手段と、
前記画像受付手段により受け付けられた画像データを、前記選択受付手段によって受け付けられた色に変換する色変換手段と
をさらに有する請求項１に記載の画像処理装置。
【請求項４】
前記算出手段は、前記記録媒体色受付手段により受け付けられた記録媒体の色に基づいて、イエロー、シアン及びマゼンタからなる一次色から、出力すべき画像データの単一色となる色を算出する
請求項１乃至３のいずれかに記載の画像処理装置。
【請求項５】
前記算出手段は、前記記録媒体色受付手段により受け付けられた記録媒体の色に基づいて、レッド、グリーン及びブルーからなる二次色から、出力すべき画像データの単一色となる色を算出する
請求項１乃至３のいずれかに記載の画像処理装置。
【請求項６】
前記算出手段は、前記記録媒体色受付手段により受け付けられた記録媒体の色と、出力すべき画像データの単一色となり得る複数の色それぞれとの色差、色相差、明度差及び彩度差の少なくともいずれかに基づいて、出力すべき画像データの単一色となる色を算出する
請求項１乃至５のいずれかに記載の画像処理装置。
【請求項７】
前記画像受付手段により受け付けられた画像データを出力すべき記録媒体の色を読み取る読取手段
をさらに有し、
前記算出手段は、前記読取手段によって読み取られた記録媒体の色に基づいて、出力すべき画像データの単一色となる色を算出する
請求項１乃至６のいずれかに記載の画像処理装置。
【請求項８】
電子文書を画像データとして受け付ける画像受付手段と、
前記画像受付手段により受け付けられた画像データを出力すべき記録媒体の色を受け付ける記録媒体色受付手段と、
前記記録媒体色受付手段により受け付けられた記録媒体の色に基づいて、出力すべき画像データの単一色となる色を算出する算出手段と、
前記画像受付手段により受け付けられた画像データを、前記算出手段によって算出された色に変換する色変換手段と、
前記色変換手段により色変換された画像データを、前記記録媒体色受付手段により受け付けられた色を有する記録媒体に出力する出力手段と
を有する画像形成装置。
【請求項９】
前記算出手段によって算出された色を、前記出力手段における画像データの再現性に適合するよう調合する調合手段
をさらに有し、
前記色変換手段は、前記画像受付手段により受け付けられた画像データを、前記調合手段によって調合された色に変換する
請求項８に記載の画像形成装置。
【請求項１０】
出力すべき画像データの単一色となる色を受け付ける画像色受付手段
をさらに有し、
前記色変換手段は、前記画像受付手段により受け付けられた画像データを、前記画像色受付手段により受け付けられた色に変換する
請求項８に記載の画像形成装置。
【請求項１１】
コンピュータを備える画像形成装置において、
電子文書を画像データとして受け付けるステップと、
前記受け付けられた画像データを出力すべき記録媒体の色を受け付けるステップと、
前記受け付けられた記録媒体の色に基づいて、出力すべき画像データの単一色となる色を算出するステップと
を前記コンピュータに実行させるプログラム。
【請求項１２】
コンピュータを備える画像形成装置において、
電子文書を画像データとして受け付けるステップと、
前記受け付けられた画像データを出力すべき記録媒体の色を受け付けるステップと、
前記受け付けられた記録媒体の色に基づいて、出力すべき画像データの単一色となる色を算出するステップと、
前記受け付けられた画像データを、前記算出された色に変換するステップと、
前記色変換された画像データを、前記受け付けられた色を有する記録媒体に出力するステップと
を前記コンピュータに実行させるプログラム。
【発明の詳細な説明】
【技術分野】
【０００１】
本発明は、画像処理装置、画像形成装置及びプログラムに関する。
【背景技術】
【０００２】
特許文献１には、カラー画像データにおける全ての画素数に対する特定の色相を有する画素数の割合に応じて調整された明度変換式にしたがって、カラー画像データをモノトーン化する画像処理装置が開示されている。
特許文献２には、画像データのプリント色と用紙の色とが類似する場合には、プリント色を変更するか、用紙を変更する画像形成装置が開示されている。
特許文献３には、記録媒体の明度と画像濃度の明度との比が略一定となるよう、画像濃度の明度を変更する画像形成装置が開示されている。
特許文献４には、所定の信号強度で画像出力した標準用紙上の測光量又は測色値と、所定の信号強度で画像出力した対象用紙上の測光量又は測色値との比率が、所定の信号強度以外の強度においても保持されるよう、対象用紙に対応する階調及び色再現性を求める色変換方法等が開示されている。
【先行技術文献】
【特許文献】
【０００３】
【特許文献１】特開２００５−６４７８９号公報
【特許文献２】特開２００１−２９３９０７号公報
【特許文献３】特開２００２−０１９１８９号公報
【特許文献４】特開２００１−１１９５９４号公報
【発明の概要】
【発明が解決しようとする課題】
【０００４】
本発明の目的は、記録媒体の色に対して訴求力のある色を提供可能な画像処理装置、画像形成装置及びプログラムを提供することである。
【課題を解決するための手段】
【０００５】
[画像処理装置]
請求項１に係る本発明は、電子文書を画像データとして受け付ける画像受付手段と、前記画像受付手段により受け付けられた画像データを出力すべき記録媒体の色を受け付ける記録媒体色受付手段と、前記記録媒体色受付手段により受け付けられた記録媒体の色に基づいて、出力すべき画像データの単一色となる色を算出する算出手段とを有する画像処理装置である。
【０００６】
請求項２に係る本発明は、前記画像受付手段により受け付けられた画像データを、前記算出手段により算出された色に変換する色変換手段をさらに有する請求項１に記載の画像処理装置である。
【０００７】
請求項３に係る本発明は、前記算出手段により算出された色を複数表示する表示手段と、前記表示手段によって表示された色のいずれかを受け付ける選択受付手段と、前記画像受付手段により受け付けられた画像データを、前記選択受付手段によって受け付けられた色に変換する色変換手段とをさらに有する請求項１に記載の画像処理装置である。
【０００８】
請求項４に係る本発明は、前記算出手段は、前記記録媒体色受付手段により受け付けられた記録媒体の色に基づいて、イエロー、シアン及びマゼンタからなる一次色から、出力すべき画像データの単一色となる色を算出する請求項１乃至３のいずれかに記載の画像処理装置である。
【０００９】
請求項５に係る本発明は、前記算出手段は、前記記録媒体色受付手段により受け付けられた記録媒体の色に基づいて、レッド、グリーン及びブルーからなる二次色から、出力すべき画像データの単一色となる色を算出する請求項１乃至３のいずれかに記載の画像処理装置である。
【００１０】
請求項６に係る本発明は、前記算出手段は、前記記録媒体色受付手段により受け付けられた記録媒体の色と、出力すべき画像データの単一色となり得る複数の色それぞれとの色差、色相差、明度差及び彩度差の少なくともいずれかに基づいて、出力すべき画像データの単一色となる色を算出する請求項１乃至５のいずれかに記載の画像処理装置である。
【００１１】
請求項７に係る本発明は、前記画像受付手段により受け付けられた画像データを出力すべき記録媒体の色を読み取る読取手段をさらに有し、前記算出手段は、前記読取手段によって読み取られた記録媒体の色に基づいて、出力すべき画像データの単一色となる色を算出する請求項１乃至６のいずれかに記載の画像処理装置である。
【００１２】
[画像形成装置]
請求項８に係る本発明は、電子文書を画像データとして受け付ける画像受付手段と、前記画像受付手段により受け付けられた画像データを出力すべき記録媒体の色を受け付ける記録媒体色受付手段と、前記記録媒体色受付手段により受け付けられた記録媒体の色に基づいて、出力すべき画像データの単一色となる色を算出する算出手段と、前記画像受付手段により受け付けられた画像データを、前記算出手段によって算出された色に変換する色変換手段と、前記色変換手段により色変換された画像データを、前記記録媒体色受付手段により受け付けられた色を有する記録媒体に出力する出力手段とを有する画像形成装置である。
【００１３】
請求項９に係る本発明は、前記算出手段によって算出された色を、前記出力手段における画像データの再現性に適合するよう調合する調合手段をさらに有し、前記色変換手段は、前記画像受付手段により受け付けられた画像データを、前記調合手段によって調合された色に変換する請求項８に記載の画像形成装置である。
【００１４】
請求項１０に係る本発明は、出力すべき画像データの単一色となる色を受け付ける画像色受付手段をさらに有し、前記色変換手段は、前記画像受付手段により受け付けられた画像データを、前記画像色受付手段により受け付けられた色に変換する請求項８に記載の画像形成装置である。
【００１５】
[プログラム]
請求項１１に係る本発明は、コンピュータを備える画像形成装置において、電子文書を画像データとして受け付けるステップと、前記受け付けられた画像データを出力すべき記録媒体の色を受け付けるステップと、前記受け付けられた記録媒体の色に基づいて、出力すべき画像データの単一色となる色を算出するステップとを前記コンピュータに実行させるプログラムである。
【００１６】
請求項１２に係る本発明は、コンピュータを備える画像形成装置において、電子文書を画像データとして受け付けるステップと、前記受け付けられた画像データを出力すべき記録媒体の色を受け付けるステップと、前記受け付けられた記録媒体の色に基づいて、出力すべき画像データの単一色となる色を算出するステップと、前記受け付けられた画像データを、前記算出された色に変換するステップと、前記色変換された画像データを、前記受け付けられた色を有する記録媒体に出力するステップとを前記コンピュータに実行させるプログラムである。
【発明の効果】
【００１７】
請求項１に係る本発明によれば、本構成を有しない場合に比べ、記録媒体の色に対して訴求力のある色を提供可能な画像処理装置を提供することができる。
【００１８】
請求項２に係る本発明によれば、請求項１に係る発明による効果に加え、本構成を有しない場合に比べ、使用者が訴求力のある色を決定する手間を省くことができる画像処理装置を提供することができる。
【００１９】
請求項３に係る本発明によれば、請求項１に係る発明による効果に加え、本構成を有しない場合に比べ、使用者の意思を反映した色を提供可能な画像処理装置を提供することができる。
【００２０】
請求項４に係る本発明によれば、請求項１乃至３のいずれかに係る発明による効果に加え、本構成を有しない場合に比べ、訴求力のある一次色を提供可能な画像処理装置を提供することができる。
【００２１】
請求項５に係る本発明によれば、請求項１乃至３のいずれかに係る発明による効果に加え、本構成を有しない場合に比べ、訴求力のある一次色を提供可能な画像処理装置を提供することができる。
【００２２】
請求項６に係る本発明によれば、請求項１乃至５のいずれかに係る発明による効果に加え、本構成を有しない場合に比べ、色差、色相差、明度差及び彩度差の少なくともいずれかに基づいて、訴求力がある色を提供可能な画像処理装置を提供することができる。
【００２３】
請求項７に係る本発明によれば、請求項１乃至６のいずれかに係る発明による効果に加え、本構成を有しない場合に比べ、より訴求力がある色を提供可能な画像処理装置を提供することができる。
【００２４】
請求項８に係る本発明によれば、本構成を有しない場合に比べ、記録媒体の色に対して訴求力のある色を用いて画像データを出力することができる画像形成装置を提供することができる。
【００２５】
請求項９に係る本発明によれば、請求項８に係る発明による効果に加え、本構成を有しない場合に比べ、調合色を用いて画像データを出力することができる画像形成装置を提供することができる。
【００２６】
請求項１０に係る本発明によれば、請求項８に係る発明による効果に加え、本構成を有しない場合に比べ、使用者の意思を反映した色を用いて画像データを出力することができる画像形成装置を提供することができる。
【００２７】
請求項１１に係る本発明によれば、本構成を有しない場合に比べ、記録媒体の色に対して訴求力のある色を提供可能なプログラムを提供することができる。
【００２８】
請求項１２に係る本発明によれば、本構成を有しない場合に比べ、記録媒体の色に対して訴求力のある色を用いて画像データを出力することができるプログラムを提供することができる。
【図面の簡単な説明】
【００２９】
【図１】本発明の一実施形態である画像形成装置を含む、画像形成システムを示す図である。
【図２】端末装置のディスプレイなどに表示される画面の例である。
【図３】端末装置のディスプレイなどに表示される画面の例である。
【図４】端末装置のディスプレイなどに表示される画面の例である。
【図５】本発明の実施形態に係る画像形成装置を示す図である。
【図６】装置本体制御部で動作する画像形成プログラムの構成を示す図である。
【図７Ａ】色相差スコアテーブルの例である。
【図７Ｂ】色差スコアテーブルの例である。
【図７Ｃ】明度差スコアテーブルの例である。
【図７Ｄ】彩度差スコアテーブルの例である。
【図８】端末装置のディスプレイなどに表示される画面の例である。
【図９】画像形成プログラムの動作（Ｓ１０）を示すフローチャートである。
【図１０】画像形成プログラムの動作（Ｓ１０）の第１の変形例を示すフローチャートである。
【図１１】画像形成プログラムの動作（Ｓ１０）の第２の変形例を示すフローチャートである。
【発明を実施するための形態】
【００３０】
以下、本発明の実施形態を説明する。なお、以下の説明は本発明を実施するのにあたっての一例に過ぎず、本発明が以下に説明される事項に限定されるわけではなく、必要に応じて適宜変更可能である。
例えば、以下、画像形成装置は、電子文書の画像データの印刷に用いる色を判定し、この色を用いて電子文書の画像データを印刷するものとして説明しているが、画像処理装置が電子文書の画像データの印刷に用いる色を判定し、画像形成装置は、画像処理装置によって判定された色を用いて電子文書の画像データを印刷してもよい。
【００３１】
[画像形成システム]
図１は、本発明の一実施形態である画像形成装置１２を含む、画像形成システム１を示す図である。図１に示すように、端末装置１０−１〜１０−ｎ及び画像形成装置１２が、ネットワーク１４を介して互いに接続されて構成される。
端末装置１０−１〜１０−ｎは、各種アプリケーションを用いて電子文書を作成し、この電子文書の画像データを印刷する指示（印刷指示）を画像形成装置１２に送信するなど、一般的なコンピュータの機能を備えている。ユーザは、例えば、ＷＯＲＤ（登録商標）を用いて、スーパーのチラシを白黒で作成し、このチラシの画像データを印刷する指示を送信する。
画像形成装置１２は、コピー、プリント及びファクシミリ送信など、いわゆる複合機としての機能を備える。
このような構成により、端末装置１０−１〜１０−ｎにおいて作成された電子文書の画像データが、画像形成装置１２によって印刷される。
【００３２】
ただし、ｎは１以上の整数であって、ｎが常に同じ数を示すとは限らない。
以下の各図において、実質的に同じ構成部分には、同じ符号が付される。
以下、「端末装置１０−１〜１０−ｎ」など、複数存在しうる構成部分のいずれかが、特定されずに示される場合には、単に「端末装置１０」などと略記されることがある。
【００３３】
図１において、画像形成装置１２は一台しかないが、複数台あってもかまわない。
また、端末装置１０において作成された電子文書が、いったん共有サーバなどに保存された後、この電子文書の画像データが、画像形成装置１２によって印刷されてもよい。
また、画像形成装置１２の操作パネルを介して、共有サーバなどに保存された電子文書の画像データを印刷する指示が、画像形成装置１２の本体に送信されてもよい。なお、画像形成装置１２の操作パネル及び本体については、図５を参照して後述する。
【００３４】
[端末装置]
図２〜４は、いずれも、図１の端末装置１０のディスプレイなどに表示される画面の例である。
端末装置１０において、印刷しようとする電子文書の画像データに対し、カラーモード、画質調整、階調再現性、用紙の色及び各種自動選択などが設定され、端末装置１０は、これらの設定内容及び電子文書の画像データを、印刷指示として図１の画像形成装置１２に送信する。
用紙の色は、画像形成装置１２の給紙トレイによって供給される用紙の色のいずれかであり、ユーザは、端末装置１０に表示される画面などを介して、電子文書の画像データを印刷しようとする用紙の色を選択する。
例えば、ユーザは、新聞に折り込まれた際に目立つような色（例えば黄色）を用紙の色として選択する。
なお、端末装置１０に表示される画面などに、給紙トレイが用紙の色に対応付けられて表示されるようにして、ユーザは、端末装置１０に表示される画面などを介して、電子文書の画像データを印刷しようとする用紙の色に対応する給紙トレイを選択するようにしてもよい。
上記に挙げた設定は、画像形成装置１２の操作パネルを介してなされてもよく、印刷指示は、操作パネルを介して画像形成装置１２の本体に送信されてもよい。
【００３５】
図２は、図１の端末装置１０において作成された電子文書の画像データを印刷する際の設定のうち、どのような色を用いて印刷するか（カラーモード）を設定するための画面である。
図２に示すように、タイトルバー１００、プルダウンボタン１０２、プルダウンメニュー１０４及び閉じるボタン１０６が表示される。
図２の画面において、プルダウンボタン１０２がクリックされることにより、カラーモード１０８〜１１４がプルダウンメニュー１０４として一覧表示され、カラーモード１０８〜１１４のいずれかがクリックされることにより、カラーモードが設定される。
【００３６】
自動１０８がクリックされることにより、電子文書の画像データの色を自動的に判断し、電子文書の画像データがカラーであればフルカラーで印刷し、白黒であればブラック１色で印刷するよう設定される。
また、フルカラー１１０がクリックされることにより、イエロー、シアン、マゼンタ及びブラックの４色を用いてフルカラーで印刷するよう設定され、白黒１１２がクリックされることにより、電子文書の画像データの色に関わらず、白黒で印刷するよう設定される。
【００３７】
単色カラー１１４がクリックされることにより、電子文書の画像データの色に関わらず、選択された１つの色で印刷するよう設定される。
単色カラー１１４のクリックにともない、１次色（イエロー、シアン及びマゼンタ）と、１次色のうち２色を混合してできる２次色（レッド、グリーン及びブルー）との計６色から、１つの色が選択される。このように、単色カラーとは、電子文書の画像データの印刷に用いられる１つの色であり、ここでは、イエロー、シアン、マゼンタ、レッド、グリーン及びブルーの６色のいずれかである。
いずれの色を単色カラーとして選択するかは、ユーザが手動で行ってもよいし、用紙の色に応じて選択されるようにしてもよい。手動及び自動のいずれで選択するかは、端末装置１０に表示される画面（不図示）及び画像形成装置１２の操作パネルを介して設定することができる。
【００３８】
図３は、図１の端末装置１０において作成された電子文書の画像データを印刷する際の設定のうち、画質をどのように調整するかを設定するための画面である。
図３に示すように、タイトルバー１００、ラジオボタン１１６−１，１１６−２、スライダー１１８−１〜１１８−４、テキストボックス１２０−１〜１２０−４及び閉じるボタン１０６が表示される。
図３の画面において、ラジオボタン１１６−１がクリックされることにより、電子文書の画像データ全体が画質調整の対象となるよう設定され、ラジオボタン１１６−２がクリックされることにより、電子文書の画像データに含まれるオブジェクト（例えば、イメージオブジェクト、テキストオブジェクト及びグラフィクスオブジェクト）が画質調整の対象となるよう設定される。
また、スライダー１１８−１のつまみ又はテキストボックス１２０−１の数値が調整されることにより、明度が調整され、スライダー１１８−２のつまみ又はテキストボックス１２０−２の数値が調整されることにより、コントラストが調整される。スライダー１１８−３のつまみ又はテキストボックス１２０−３の数値が調整されることにより、彩度が調整され、スライダー１１８−４のつまみ又はテキストボックス１２０−４の数値が調整されることにより、色相が調整される。
【００３９】
図４は、図１の端末装置１０において作成された電子文書の画像データを印刷する際の設定のうち、階調をどのように再現するか（階調再現性）を設定するための画面である。
図４に示すように、タイトルバー１００、ラジオボタン１２２−１〜１２２−６及び閉じるボタン１０６が表示される。
図４の画面において、ラジオボタン１２２−１，１２２−３，１２２−５がクリックされることにより、各オブジェクトがリニア階調を用いて再現され、ラジオボタン１２２−２，１２２−４，１２２−６がクリックされることにより、各オブジェクトがコントラスト強調階調を用いて再現される。
なお、リニア階調とは、色差を線形的に変化させるトーン再現曲線（ＴＲＣ；Ｔｏｎｅ  Ｒｅｐｒｏｄｕｃｔｉｏｎ  Ｃｕｒｖｅ）であり、コントラスト強調階調とは、γ補正を施して色差を強調するＴＲＣである。
一般的には、イメージオブジェクトを再現する際にはリニア階調が用いられ、テキストオブジェクト及びグラフィクスオブジェクトを再現する際にはコントラスト強調階調が用いられるため、図４に示すように初期設定されているが、設定されていない階調再現性を示すラジオボタン（ここでは、ラジオボタン１２２−２，１２２−３，１２２−５）をクリックすることにより、初期設定を変更することができる。
【００４０】
図５は、本発明の実施形態に係る画像形成装置１２を示す図である。
図５に示すように、本発明の実施形態に係る画像形成装置１２は、装置本体１６、装置本体１６に装着される操作パネル１４０及び給紙装置１８を有する。
さらに、装置本体１６は、カラー画像を構成する色ごとに設けられた像形成ユニット１６０Ｙ（Ｙｅｌｌｏｗ；イエロー）、１６０Ｍ（Ｍａｇｅｎｔａ；マゼンタ）、１６０Ｃ（Ｃｙａｎ；シアン）及び１６０Ｋ（ｂｌａｃＫ；ブラック）などを有する。
【００４１】
また、装置本体１６及び給紙装置１８は、それぞれ、制御部を有し、制御部による制御を受けて動作する。
図示しないが、装置本体１６の装置本体制御部１６２及び給紙装置１８の給紙装置制御部１８０は、ともに、ＣＰＵ、メモリ、記憶媒体及びこれらを接続するバスなどを備える制御基板である。
図示しないが、装置本体制御部１６２は、ケーブル、コネクタ及び図１のネットワーク１４などを介して、操作パネル１４０、給紙装置制御部１８０及び図１の端末装置１０と互いに通信可能に接続されている。
【００４２】
装置本体制御部１６２は、印刷指示を端末装置１０から受信し、受信した印刷指示に基づいて、給紙トレイの情報を給紙装置制御部１８０に送信する。
装置本体制御部１６２のメモリ及び記憶媒体には、給紙トレイと給紙トレイによって供給される用紙に関する情報（例えば、用紙の色、用紙のサイズ及び用紙の重量）との対応付け、電子文書の画像データのサイズと用紙のサイズとの対応付け、及び、図７を参照して後述するスコアテーブルなどが記憶されている。
【００４３】
装置本体１６は、トナー像を形成する像形成ユニット１６０、像形成ユニット１６０からトナー像が転写される中間転写ベルト１６４、像形成ユニット１６０と対向する位置においてトナー像を用紙に転写する転写ローラ１６６、用紙に転写されたトナー像を定着させる定着部１６８、及び、用紙を搬送する用紙搬送路１７０を有する。
定着部１６８には、フラッシュランプ１７２が設けられ、フラッシュランプ１７２から照射される光エネルギーによってトナー像が定着される。
用紙搬送路１７０には、用紙搬送路１７０に沿って複数組の搬送ローラ１７４が配列される。印刷処理が施された用紙は、印字面を下にして、排出トレイ１７６に排出される。
【００４４】
給紙装置１８は、用紙の色ごとに給紙トレイ１８２を有する。例えば、給紙トレイ１８２−１〜１８２−５は、それぞれ、黄色の用紙、水色の用紙、桃色の用紙、橙色の用紙、緑色の用紙及び紫色の用紙を供給する。
装置本体制御部１６２から給紙トレイ１８２の情報を受信したことをトリガにして、該当する給紙トレイ１８２の給紙ヘッド１８４が作動し、給紙通路１８６を介して、給紙トレイ１８２から装置本体１６に用紙が供給される。給紙通路１８６には、用紙搬送路１７０と同様、給紙通路１８６に沿って複数組の搬送ローラ１８８が配列される。
図示しないが、給紙装置１８の装置本体１６側の側面の一部は、給紙通路１８６を用紙搬送路１７０に連通させるためのガイド面として利用されている。
【００４５】
図６は、図５の装置本体制御部１６２で動作する画像形成プログラム２０の構成を示す図である。
画像形成プログラム２０は、メモリ及び記憶媒体などに記憶され、ＣＰＵによって読み出されて実行される。
図６に示すように、画像形成プログラム２０は、印刷指示受信部２００、印刷指示解釈部２０２、給紙トレイ判定部２０４、単色カラー判定部２０６、色変換部２０８、階調補正部２１０及び制御部２１２から構成される。
【００４６】
印刷指示受信部２００は、図１の端末装置１０及び図５の操作パネル１４０から、ケーブルなどを介して、印刷指示を受信する。
印刷指示解釈部２０２は、印刷指示受信部２００によって受信された印刷指示を解釈し、印刷指示の一部を給紙トレイ判定部２０４、単色カラー判定部２０６、色変換部２０８及び階調補正部２１０に送信する。具体的には、印刷指示解釈部２０２は、印刷指示に含まれる、印刷しようとする電子文書の画像データ、この画像データのサイズ、及び、この画像データに対してなされた設定（カラーモード、画質調整、階調再現性、用紙の色及び各種自動選択など）等を解釈する。
給紙トレイ判定部２０４には、カラーモード及び用紙の色の情報などが送信され、単色カラー判定部２０６には、用紙の色の情報などが送信される。色変換部２０８には、画質調整の情報及び印刷しようとする電子文書の画像データなどが送信され、階調補正部２１０には、階調再現性の情報などが送信される。
【００４７】
カラーモードが単色カラーに設定されている場合、給紙トレイ判定部２０４は、給紙トレイ１８２と給紙トレイ１８２によって供給される用紙の色との対応付けをメモリ等から読み出し、印刷指示解釈部２００によって解釈された用紙の色に対応する給紙トレイ１８２を選択する。選択された給紙トレイの情報は、ケーブルなどを介して、給紙装置制御部１８０に送信される。
なお、端末装置１０及び操作パネル１４０において、給紙トレイ１８２が自動で選択されるよう設定されている場合には、給紙トレイ判定部２０４は、電子文書の画像データのサイズと用紙のサイズとの対応付けをメモリ等から読み出し、印刷指示解釈部２００によって解釈された電子文書の画像データのサイズに対応する用紙のサイズを判断する。さらに、給紙トレイ判定部２０４は、用紙のサイズに対応する給紙トレイ１８２を選択する。
【００４８】
単色カラー判定部２０６は、印刷指示解釈部２００によって解釈された用紙の色に対して訴求力のある単色カラーを選択する。
例えば、単色カラー判定部２０６は、予め行われた実験等に基づいて作成され、図７に示す形式でメモリ等に記憶されているスコアテーブルを読み出して、このスコアテーブルを参照し、用紙の色に対して訴求力のある単色カラーを選択する。
また、単色カラー判定部２０６は、印刷指示解釈部２００によって解釈された用紙の色に対する補色を、用紙の色に対して訴求力のある単色カラーとして選択してもよい。
【００４９】
図７Ａは、用紙の色と単色カラーそれぞれとの色相差に基づいて算出したスコアを示す色相差スコアテーブルの例である。
予め行われる実験等では、例えば、図５の給紙トレイ１８２によって供給される用紙の色を示すＬ＊ａ＊ｂ＊値と、図５の像形成ユニット１６０によってトナー像の生成に用いられる単色カラーを示すＬ＊ａ＊ｂ＊値とに基づいて、図７Ａに示す色相差スコアテーブルが作成される。
具体的には、黄色の用紙が給紙トレイ１８２によって供給される場合には、黄色を示す代表的なＬ＊ａ＊ｂ＊値を、黄色を示すＬ＊ａ＊ｂ＊値として用いる。また、ユーザが、黄色の用紙をスキャナ等によって読み取らせ、読み取られたＬ＊ａ＊ｂ＊値を、黄色を示すＬ＊ａ＊ｂ＊値として用いてもよい。実際の用紙の色を示すＬ＊ａ＊ｂ＊値を用いる場合には、想定上の用紙の色を示すＬ＊ａ＊ｂ＊値を用いる場合に比べ、より精度の高い色相差スコアテーブルが作成され、より訴求力のある単色カラーが選択される。
なお、予め行われた実験等に基づく順位（ここでは、レッド、マゼンタ、ブルー、グリーン、シアン及びイエローの順）でスコアに重み付けがされるので、色相差が同じであっても、スコアが異なることがある。
以下、他のスコアテーブルについても同様である。
【００５０】
図７Ｂは、用紙の色と単色カラーそれぞれとの色差に基づいて算出したスコアを示す色差スコアテーブルの例である。
図７Ｃは、用紙の色と単色カラーそれぞれとの明度差に基づいて算出したスコアを示す明度差スコアテーブルの例である。
図７Ｄは、用紙の色と単色カラーそれぞれとの彩度差に基づいて算出したスコアを示す彩度差スコアテーブルの例である。
【００５１】
図６において、単色カラー判定部２０６は、例えば、印刷指示解釈部２００によって解釈された用紙の色と単色カラーそれぞれとの色相差を示すスコア（図７Ａのスコアテーブルを参照して得られるスコア）、印刷指示解釈部２００によって解釈された用紙の色と単色カラーそれぞれとの色差を示すスコア（図７Ｂのスコアテーブルを参照して得られるスコア）、印刷指示解釈部２００によって解釈された用紙の色と単色カラーそれぞれとの明度差を示すスコア（図７Ｃのスコアテーブルを参照して得られるスコア）、及び、印刷指示解釈部２００によって解釈された用紙の色と単色カラーそれぞれとの彩度差を示すスコア（図７Ｄのスコアテーブルを参照して得られるスコア）の合計が最も大きくなる単色カラーを、印刷指示解釈部２００によって解釈された用紙の色に対して最も訴求力のある単色カラーとして選択する。
なお、上記スコアの少なくともいずれかが最も大きくなる単色カラーが選択されてもよい。
【００５２】
また、図８に示すように、予め定められた数（ここでは３つ）の単色カラーをスコアが大きい順に図１の端末装置１０のディスプレイ等に表示し、ユーザにいずれかを選択させてもかまわない。
図８の画面には、タイトルバー１００、単色カラー表示部１２４、背景表示部１２６及び閉じるボタン１０６が表示される。単色カラー表示部１２４には、図６の単色カラー判定部２０６によって算出されたスコアの大きい順に単色カラーが表示され、背景表示部１２６には、図６の印刷指示解釈部２０２によって解釈された用紙の色が表示されるので、ユーザは、用紙の色及び単色カラーの組合せが実際の印刷結果に近い状態で、用紙の色に対して最も訴求力があると考える単色カラーを選択することができる。
【００５３】
図６において、色変換部２０８は、印刷指示解釈部２０２によって解釈された画質調整と、単色カラー判定部２０６によって判断された単色カラーとに基づいて、電子文書の画像データに対して色変換処理を施す。
階調補正部２１０は、印刷指示解釈部２０２によって解釈された階調再現性に基づいて、色変換部２０８によって色変換された画像データに対して階調補正処理を施す。
制御部２１２は、階調補正部２１０によって階調補正処理が施された画像データが印刷されるよう、図５の装置本体１６を制御する。
【００５４】
図９は、図６の画像形成プログラム２０の動作（Ｓ１０）を示すフローチャートである。
図９に示すように、ステップ１００（Ｓ１００）において、図６の印刷指示受信部２００は、図１の端末装置１０及び図５の操作パネル１４０から印刷指示を受信し、ステップ１０２の処理に進む。
ステップ１０２（Ｓ１０２）において、図６の印刷指示解釈部２０２は、印刷指示受信部２００によって受信された印刷指示を解釈し、ステップ１０４の処理に進む。
【００５５】
ステップ１０４（Ｓ１０４）において、印刷指示解釈部２０２は、ステップ１０２において解釈した印刷指示において、カラーモードが単色カラーに設定されているか否かを判定する。カラーモードが単色カラーに設定されている場合には、ステップ１０６（Ｓ１０６）の処理に進み、そうでない場合には、処理を終了する。
ステップ１０６（Ｓ１０６）において、印刷指示解釈部２０２は、ステップ１０２において解釈した印刷指示において、図５の給紙トレイ１８２が自動で選択されるよう設定されているか否かを判定する。給紙トレイ１８２が自動で選択されるよう設定されている場合には、ステップ１０８の処理に進み、そうでない場合には、ステップ１１２の処理に進む。
【００５６】
ステップ１０８（Ｓ１０８）において、図６の給紙トレイ判定部２０４は、ステップ１０２において解釈された印刷指示に含まれる、印刷しようとする電子文書の画像データのサイズに基づいて、電子文書の画像データが印刷される用紙のサイズを判断し、ステップ１１０の処理に進む。
ステップ１１０（Ｓ１１０）において、給紙トレイ判定部２０４は、ステップ１０２において解釈した印刷指示に含まれる用紙の色（又は、ステップ１０８において判断された用紙サイズ）に対応する給紙トレイ１８２を選択し、ステップ１１２の処理に進む。
【００５７】
ステップ１１２（Ｓ１１２）において、給紙トレイ判定部２０４は、ステップ１１０において選択された給紙トレイ１８２の情報を、図５の給紙装置制御部１８０に送信する。
ステップ１１４（Ｓ１１４）において、図６の単色カラー判定部２０６は、例えば、ステップ１０２において解釈した印刷指示に含まれる用紙の色と単色カラーそれぞれとの色相差、色差、明度差及び彩度差を示すスコアの合計を算出し、ステップ１１６の処理に進む。
【００５８】
ステップ１１６（Ｓ１１６）において、単色カラー判定部２０６は、ステップ１０２において解釈された印刷指示において、単色カラーが自動で選択されるよう設定されているか否かを判定する。単色カラーが自動で選択されるよう設定されている場合には、ステップ１１８の処理に進み、そうでない場合には、ステップ１２０の処理に進む。
ステップ１１８（Ｓ１１８）において、単色カラー判定部２０６は、ステップ１１４において算出された合計スコアが最も大きくなる単色カラーを、最も訴求力のある単色カラーとして選択し、ステップ１２４の処理に進む。
【００５９】
ステップ１２０（Ｓ１２０）において、単色カラー判定部２０６は、例えば、ステップ１１４において算出された合計スコアが大きい順に単色カラーを表示し、ステップ１２２の処理に進む。
ステップ１２２（Ｓ１２２）において、単色カラー判定部２０６は、ステップ１２０において表示された単色カラーのいずれかが、ユーザによって選択されたか否かを判定する。単色カラーのいずれかがユーザによって選択されるまで、ステップ１２２の処理は繰り返される。
【００６０】
ステップ１２４（Ｓ１２４）において、図６の色変換部２０８は、ステップ１０２において解釈された印刷指示に含まれる画質調整と、ステップ１１８又はステップ１２２において選択された単色カラーとに基づいて、ステップ１０２において解釈された印刷指示に含まれる電子文書の画像データに対して色変換処理を施し、ステップ１２６の処理に進む。
ステップ１２６（Ｓ１２６）において、図６の階調補正部２１０は、ステップ１０２において解釈された印刷指示に含まれる階調再現性に基づいて、ステップ１２４において色変換された画像データに対して階調補正処理を施し、ステップ１２８の処理に進む。
ステップ１２８（Ｓ１２８）において、図６の制御部２１２は、ステップ１２６において階調補正処理が施された画像データが印刷されるよう、図５の装置本体１６を制御し、処理を終了する。
【００６１】
以上説明したように、電子文書を印刷しようとする用紙の色に対して訴求力のある単色カラーが選択され、この単色カラーを用いて電子文書の画像データが印刷される。
このことにより、ユーザは、用紙の色に対してどの単色カラーが訴求力を持つのかを判断するために、電子文書の画像データを印刷しなければならない回数を減らすことができる。
また、１つの色で印刷するので、フルカラーで印刷する場合に比べ、印刷にかかるコストを軽減することができる。
【００６２】
[変形例１]
以上、単色カラーは、イエロー、シアン、マゼンタ、レッド、グリーン及びブルーの６色のいずれかであるとして説明したが、ユーザによって予め設定された色が、電子文書の画像データの印刷に用いる単色カラーとされてもよい。
例えば、図５の画像形成装置１２の操作パネル１４０を介して、上記の６色のうち少なくとも２色を混合してできる色が、ユーザによって予め設定され、電子文書の印刷に用いる単色カラーとして選択されてもよい。
【００６３】
図１０は、図６の画像形成プログラム２０の動作（Ｓ１０）の第１の変形例を示すフローチャートである。図１０には、図６に示したフローチャートの一部が示されており、同じ符号が付されたステップ及び省略されたステップにおいて、図６のステップと同じ処理が行われるものとする。なお、太枠で示されるステップは、図６のステップとは異なることを示す（後述する第２の変形例についても同様）。
ステップ１１２において図５の給紙トレイ１８２の情報が図５の給紙装置制御部１８０に送信された後、ステップ１３０（Ｓ１３０）において、図６の単色カラー判定部２０６は、ユーザによって予め設定された色があるか否かを判定する。ユーザによって予め設定された色がある場合には、ステップ１３２の処理に進み、そうでない場合には、ステップ１１４の処理に進む。
ステップ１３２（Ｓ１３２）において、単色カラー判定部２０６は、ユーザによって別途設定された色を、電子文書の画像データの印刷に用いる単色カラーとして選択する。
【００６４】
[変形例２]
用紙の色と単色カラーそれぞれとの色相差、色差、彩度差及び明度差に基づいて訴求力のある単色カラーを決定した後、さらに、画像形成装置１２における色変換処理に用いられるルックアップテーブルに基づいて、決定された単色カラーを再現するためのトナー混合比を求め、このトナー混合比に基づいてトナーを調合してできる色（調合色）を、電子文書の印刷に用いてもよい。
図１１は、図６の画像形成プログラム２０の動作（Ｓ１０）の第２の変形例を示すフローチャートである。
ステップ１３４（Ｓ１３４）において、図６の単色カラー判定部２０６は、ステップ１１８又はステップ１２２において選択された単色カラーに基づいて調合色を生成し、この調合色を電子文書の画像データの印刷に用いる単色カラーとして選択する。
【符号の説明】
【００６５】
１      画像形成システム
１０    端末装置
１２    画像形成装置
１４    ネットワーク
１６    装置本体
１６０  像形成ユニット
１６２  装置本体制御部
１６４  中間転写ベルト
１６６  転写ローラ
１６８  定着部
１７０  用紙搬送路
１７２  フラッシュランプ
１７４  搬送ローラ
１７６  排出トレイ
１８    給紙装置
１８０  給紙装置制御部
１８２  給紙トレイ
１８４  給紙ヘッド
１８６  給紙通路
１８８  搬送ローラ
２０    画像形成プログラム
２００  印刷指示受信部
２０２  印刷指示解釈部
２０４  給紙トレイ判定部
２０６  単色カラー判定部
２０８  色変換部
２１０  階調補正部
２１２  制御部
【図１】
2012039493.tif 000003
【図２】
2012039493.tif 000004
【図３】
2012039493.tif 000005
【図４】
2012039493.tif 000006
【図５】
2012039493.tif 000007
【図６】
2012039493.tif 000008
【図７Ａ】
2012039493.tif 000009
【図７Ｂ】
2012039493.tif 000010
【図７Ｃ】
2012039493.tif 000011
【図７Ｄ】
2012039493.tif 000012
【図８】
2012039493.tif 000013
【図９】
2012039493.tif 000014
【図１０】
2012039493.tif 000015
【図１１】
2012039493.tif 000016